(57)【要約】【課題】再生を自動的に停止することが可能な携帯音楽プレーヤを提供する。【解決手段】  無線通信を行う通信部１０と、対象エリアを識別する識別情報を登録する登録部２と、再生するコンテンツデータの選択を行う選択部４と、識別情報に規定された識別信号を通信部１０が受信したか否かを判定する判定部６と、識別信号が受信されたか否かに応じて、コンテンツデータの再生を停止する自動停止機能のオンオフを制御する制御部８とを備える。【選択図】図１
2014041231.tif 000002
【特許請求の範囲】
【請求項１】
無線通信を行う通信部と、
対象エリアを識別する識別情報を登録する登録部と、
再生するコンテンツデータの選択を行う選択部と、
前記識別情報に規定された識別信号を前記通信部が受信したか否かを判定する判定部と、
前記識別信号が受信されたか否かに応じて、前記コンテンツデータの再生を停止する自動停止機能のオンオフを制御する制御部
とを備えることを特徴とする携帯音楽プレーヤ。
【請求項２】
前記識別信号が、前記対象エリアの無線ＬＡＮアクセスポイントの識別子であることを特徴とする請求項１に記載の携帯音楽プレーヤ。
【請求項３】
前記識別信号が、ＧＰＳから取得した前記対象エリアの位置情報であることを特徴とする請求項１に記載の携帯音楽プレーヤ。
【請求項４】
前記制御部は、前記コンテンツデータの再生開始時に前記識別信号が受信された場合、前記自動停止機能をオフにすることを特徴とする請求項１〜３のいずれか１項に記載の携帯音楽プレーヤ。
【請求項５】
対象エリアを識別する識別情報を登録する登録ステップと、
コンテンツデータを再生する再生ステップと、
前記識別情報に規定された識別信号を受信したか否かを判定する判定ステップと、
前記識別信号が受信されたか否かに応じて、前記コンテンツデータの再生を停止する自動停止機能のオンオフを制御する制御ステップ
とを含むことを特徴とする携帯音楽プレーヤの再生方法。
【請求項６】
前記識別信号が、前記対象エリアの無線ＬＡＮアクセスポイントの識別子であることを特徴とする請求項５に記載の携帯音楽プレーヤの再生方法。
【請求項７】
前記識別信号が、ＧＰＳから取得した前記対象エリアの位置情報であることを特徴とする請求項５に記載の携帯音楽プレーヤの再生方法。
【請求項８】
前記コンテンツデータの再生開始時に前記識別信号が受信された場合、前記自動停止機能をオフにして前記コンテンツデータを再生することを特徴とする請求項５〜７のいずれか１項に記載の携帯音楽プレーヤの再生方法。
【発明の詳細な説明】
【技術分野】
【０００１】
本発明は、自動停止可能な携帯音楽プレーヤ及び携帯音楽プレーヤの再生方法に関する。
【背景技術】
【０００２】
音楽プレーヤ機能を有するスマートフォンなどの携帯端末を含む携帯音楽プレーヤの普及などにより、簡単に音楽をダウンロードして楽しむことができるようになってきている。これにより、音楽を外出先でも気軽に聴けるようになってきている。ユーザが外出先から音楽を聴きながら帰宅した際に再生中の音楽を停止する場合、通常、ユーザ自らが携帯端末の停止処理をする必要がある。
【０００３】
通常、携帯端末で音楽を再生しているときは、消費電力を抑えるために、液晶の表示などの一部の機能をオフにした省電力モードにして、再生をしているのが殆どである。そのため、停止するのに省電力モードの解除を行った上で再生を停止する、という煩わしい操作が必要になる。
【０００４】
帰宅時は、ドアを開けるのに鍵を探したり、部屋の電気を点けたり他の事を色々行っているうちに携帯音楽プレーヤの停止を行うことを忘れてしまうこともある。また、忘れなくても停止処理をするのが非常に煩わしい。また、表示もオフしているので、見た目では停止状態であるか判断がつかず、停止したかどうか確認しなければいけない。
【０００５】
帰宅時に停止処理を忘れてしまうと、プレイリストやアルバムなどを指定して再生している場合は、最後の曲まで再生されて停止するが、全曲再生やリピート設定をしている場合などは、バッテリがなくなるまで再生してしまう可能性もある。そのため、気付いたときにはバッテリ残量がわずかになっていたり、電源が入らなくなったりすることがあり、次に使用したいときに使用できないことがある。
【０００６】
携帯音楽プレーヤを簡単に停止させる方法として、ヘッドフォンの着脱で音楽再生を自動停止する方法が提案されている（特許文献１参照）。
【０００７】
特許文献１に記載されている自動停止方法ではヘッドフォンを着脱するたびに音楽再生が自動停止されてしまうため、反って煩わしい場合がある。
【先行技術文献】
【特許文献】
【０００８】
【特許文献１】特開２００３−２３４７９号公報
【発明の概要】
【発明が解決しようとする課題】
【０００９】
上記問題点を鑑み、本発明の目的は、再生を自動的に停止することが可能な携帯音楽プレーヤ及び携帯音楽プレーヤの再生方法を提供することにある。
【課題を解決するための手段】
【００１０】
本発明の一態様によれば、無線通信を行う通信部と、対象エリアを識別する識別情報を登録する登録部と、再生するコンテンツデータの選択を行う選択部と、識別情報に規定された識別信号を通信部が受信したか否かを判定する判定部と、識別信号が受信されたか否かに応じて、コンテンツデータの再生を停止する自動停止機能のオンオフを制御する制御部とを備える携帯音楽プレーヤが提供される。
【００１１】
本発明の他の態様によれば、対象エリアを識別する識別情報を登録する登録ステップと、コンテンツデータを再生する再生ステップと、識別情報に規定された識別信号を受信したか否かを判定する判定ステップと、識別信号が受信されたか否かに応じて、コンテンツデータの再生を停止する自動停止機能のオンオフを制御する制御ステップとを含む携帯音楽プレーヤの再生方法が提供される。
【発明の効果】
【００１２】
本発明によれば、再生を自動的に停止することが可能な携帯音楽プレーヤ及び携帯音楽プレーヤの再生方法を提供することが可能となる。
【図面の簡単な説明】
【００１３】
【図１】本発明の実施の形態に係る携帯音楽プレーヤの構成の一例を示す概略図である。
【図２】本発明の実施の形態に係る携帯音楽プレーヤの再生停止方法の一例を示すフローチャートである。
【発明を実施するための形態】
【００１４】
以下図面を参照して、本発明の形態について説明する。以下の図面の記載において、同一または類似の部分には同一または類似の符号が付してある。但し、図面は模式的なものであり、装置やシステムの構成等は現実のものとは異なることに留意すべきである。したがって、具体的な構成は以下の説明を参酌して判断すべきものである。また図面相互間においても互いの構成等が異なる部分が含まれていることは勿論である。
【００１５】
又、以下に示す本発明の実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された技術的範囲内において、種々の変更を加えることができる。
【００１６】
本発明の実施の形態に係る携帯音楽プレーヤは、図１に示すように、通信部１０、処理ユニット１２、操作部１４、信号処理部１６、入出力部１８、及び記憶部２０を備える。処理ユニット１２は、登録部２、選択部の一形態である選曲部４、判定部６、及び制御部８を備える。
【００１７】
通信部１０は、例えば、自宅などの対象エリアに設置したＷｉ−Ｆｉなどの無線ＬＡＮと無線通信を行う。無線ＬＡＮは、限られたエリア内でパーソナルコンピュータ（ＰＣ）や携帯端末などを無線通信によりインターネットへ接続するＬＡＮシステムである。通常の無線ＬＡＮの通信エリアは、約１００ｍ、もしくはそれ以下の範囲である。以下において、対象エリアとして、自宅に設置した無線ＬＡＮの通信エリアを用いて説明する。
【００１８】
処理ユニット１２の登録部２には、自宅無線ＬＡＮを識別する識別情報が登録される。例えば、自宅の無線ＬＡＮアクセスポイントのサービスセット識別子（ＳＳＩＤ）を識別信号として用いて設定する。具体的には、携帯音楽プレーヤの無線ＬＡＮ機能をオンにして、設定画面などで検出されている無線ＬＡＮアクセスポイントのＳＳＩＤ一覧の中から自宅無線ＬＡＮを選択して設定を行い、登録すればよい。あるいは、設定画面で直接ＳＳＩＤを入力して登録してもよい。また、自宅無線ＬＡＮだけを使用し、自宅以外の無線ＬＡＮを接続したことがないような場合、現状設定されている自宅無線ＬＡＮの設定をそのまま用いてもよい。このように、自宅の無線ＬＡＮアクセスポイントを登録することで、自宅無線ＬＡＮを識別することが可能となる。
【００１９】
選曲部４は、ユーザによる操作部１４の操作により、再生するコンテンツデータである楽曲を選択する。例えば、インターネットに接続してダウンロードした音楽に対して、プレイリストやアルバムが指定されて再生が行われる。あるいは、全曲再生やリピート再生を設定して再生が行われる。
【００２０】
判定部６は、登録された自宅無線ＬＡＮの識別情報に規定された識別信号を通信部１０が受信したか判定する。例えば、携帯音楽プレーヤが自宅無線ＬＡＮの通信エリア内であれば、識別信号として登録されたＳＳＩＤを通信部１０で受信することができる。携帯音楽プレーヤが通信エリア外にあれば、登録されたＳＳＩＤは受信されない。
【００２１】
制御部８は、識別信号が通信部１０で受信されたら楽曲の再生を停止する自動停止機能のオンオフを制御する。例えば、外出先などの自宅無線ＬＡＮの通信エリア外で楽曲の開始を行うと、登録した自宅無線ＬＡＮのＳＳＩＤは受信されない。この場合、制御部８は自動停止機能をオンにする。自宅無線ＬＡＮの通信エリア外から楽曲を聴きながら帰宅すると、登録したＳＳＩＤが通信部１０により受信され、再生が自動的に停止する。その後、音楽プレーヤを終了してスリープモードにする処理を行ってもよい。更に、携帯音楽プレーヤの電源をオフにする処理を行ってもよい。一方、自宅で楽曲の再生を開始すると、登録したＳＳＩＤが受信される。この場合、制御部８は自動停止機能をオフにする。
【００２２】
また、制御部８は、液晶表示などの機能をオフにする省電力モードの選択を行う。楽曲の再生時には液晶表示などの一部の機能は必要ない。そのため、消費電力を抑えるため、省電力モードを選択して、楽曲再生を行う。省電力モードの場合も、通常は通信部１０では無線ＬＡＮの受信は行っているので、自動停止機能を動作させることができる。
【００２３】
操作部１４は、各種の操作ボタンやタッチパネル等で構成される。楽曲の選択、あるいは再生モードや省電力モード選択などが、操作ボタンやタッチパネル等の操作により実施される。例えば、プレイリストやアルバムの再生、あるいは、全曲再生やリピート再生などを指定することができる。また、再生モードとして、順次再生、ランダム再生、及び特殊ランダム再生などを選択することができる。
【００２４】
信号処理部１６は、デコーダ、ＤＡコンバータ、及びアンプなどの回路を含む。例えば、ＭＰ３などのデジタル音声データが、デコーダによりデコードされ、ＤＡコンバータによりアナログ音声信号に変換される。アナログ音声信号は、アンプにより増幅されて出力される。
【００２５】
入出力部１８は、ヘッドセット、液晶などの表示装置などを含む。ヘッドセットは、信号処理部１６から出力されたアナログ音声信号を楽曲として再生する。表示装置は、液晶などの表示画面であり、再生曲や次再生曲の曲名やアーティスト名を表示する。また、操作部１４の操作により選択された情報を表示してもよい。なお、入出力部１８に、音声の入出力を行うマイクロフォン、スピーカなどが含まれてもよい。
【００２６】
記憶部２０には、楽曲のデジタル音声データ、無線ＬＡＮの登録情報などが格納される。楽曲のデータは、インターネットに接続して直接ダウンロードすることができる。あるいは、一旦、インターネットを介してＰＣにダウンロードしたデータを転送してもよく、ＣＤやＤＶＤなどから転送してもよい。
【００２７】
実施の形態に係る携帯音楽プレーヤでは、予め登録した無線ＬＡＮの識別信号が受信された場合に楽曲の再生を停止する自動停止機能を備えている。したがって、自宅の無線ＬＡＮを登録しておけば、外出先から音楽を聴きながら帰宅した場合、再生を自動的に停止することができる。ユーザは手動で再生停止処理を一切行う必要がなく、停止処理を忘れて再生したままの状況になることを防止することができる。
【００２８】
また、自宅無線ＬＡＮの通信エリア内で楽曲の再生を行うと、再生開始時すぐに自宅無線ＬＡＮの識別信号が受信される。このような場合は、再生開始時、あるいは再生開始から一定時間の間に、自宅無線ＬＡＮの識別信号が受信されることを確認して、自動停止機能をオフにすることにより、通常のように楽曲の再生を行うことができる。
【００２９】
次に、実施の形態に係る携帯音楽プレーヤの再生方法を、図２に示すフローチャートを用いて説明する。図１に示した記憶部２０には、インターネットを介してダウンロードした複数の楽曲が格納されている。
【００３０】
ステップＳ１００で、予め携帯音楽プレーヤに自宅無線ＬＡＮの識別信号を、操作部１４の操作により選択することにより、処理ユニット１２の登録部２において登録する。
【００３１】
ステップＳ１０１で、操作部１４の操作により、選曲部４により記憶部２０に格納された楽曲が選択され、携帯音楽プレーヤの楽曲再生が開始される。再生開始と共に、または再生開始後に、画面表示をオフにする省電力モードを設定するようにしてもよい。
【００３２】
ステップＳ１０２で、楽曲再生開始時に、登録された識別信号が通信部１０で受信されているか判定部６により判定される。例えば、自宅無線ＬＡＮの通信エリア外の外出先から帰宅する場合、楽曲再生開始時においては、登録された識別信号は受信されない。
【００３３】
ステップＳ１０２で登録された識別信号が受信されていないと判定部６により判定された場合、ステップＳ１０３で、制御部８により自動停止機能がオンにされる。
【００３４】
ステップＳ１０４で、楽曲の再生を行いながら、識別信号が通信部１０で受信されたか判定部６により判定される。識別信号が受信されてなければ、楽曲の再生を続ける。
【００３５】
ステップＳ１０４で識別信号が通信部１０で受信されたと判定部６により判定されたら、ステップＳ１０５で、楽曲の再生が自動的に停止される。
【００３６】
ステップＳ１０２で登録された識別信号が受信されていると判定部６により判定された場合、ステップＳ１０６で、制御部８により自動停止機能がオフにされ、楽曲の再生が行われる。
【００３７】
実施の形態に係る携帯音楽プレーヤの再生方法では、予め登録した無線ＬＡＮの識別信号が受信された場合に楽曲の再生を停止する自動停止機能をオンにして楽曲の再生を行う。自宅の無線ＬＡＮを登録しておけば、外出先から音楽を聴きながら帰宅した場合、再生を自動的に停止することができる。ユーザは手動で再生停止処理を一切行う必要がなく、停止処理を忘れて再生したままの状況になることを防止することができる。また、自宅無線ＬＡＮの通信エリア内で楽曲の再生を行うと、再生開始時すぐに自宅無線ＬＡＮの識別信号が受信される。このような場合は、再生開始時、あるいは再生開始から一定時間の間に、自宅無線ＬＡＮの識別信号が受信されることを確認して、自動停止機能をオフにすることにより、通常のように楽曲の再生を行うことができる。
【００３８】
上記においては、実施の形態に係る携帯音楽プレーヤの使用について、外出先から自宅に帰る場合を用いて説明したが、帰宅時に限定されない。外出先、例えば会社の無線ＬＡＮの識別信号も併せて登録しておけば、通勤の行き及び帰り時に、それぞれ会社及び自宅の識別信号に切り替えて使用することも可能である。更に、自宅や会社以外にも頻繁に立ち寄る無線ＬＡＮスポットの識別信号を複数登録して、識別信号を切り換えながら使用することもできる。
【００３９】
なお、上述の説明では、専用の携帯音楽プレーヤを用いているが、音楽プレーヤが搭載されたスマートフォンなどの携帯端末であってもよい。携帯端末では、３Ｇ（第３世代携帯電話）などの通話回線も通信部１０に配備されている。携帯端末では、通勤途中などに通話回線に接続して、コンテンツサーバから楽曲をストリーミング再生することもできる。このようなストリーミング再生時にも、自動停止機能を使用して、ユーザによる再生停止処理は一切行わずに自動で停止することができ、停止忘れで再生したままの状況を防止することが可能となる。
【００４０】
また、スマートフォンなどに搭載されているグローバルポジショニングシステム（ＧＰＳ）を通信部１０に備えた携帯音楽プレーヤでは、位置情報を識別信号として用いることもできる。例えば、自宅を対象エリアとして、自宅の経度及び緯度の位置情報を識別信号として登録する。自宅位置の登録には、地図表示を用いて、地図上から自宅の位置を選択して経度及び緯度を算出して位置情報に変換して設定すればよい。あるいは、自宅住所を入力して、位置情報を登録するような仕様にしてもよい。位置情報にはある程度の誤差があるため、自宅位置を中心とする所定範囲のエリアを位置情報として設定するのが望ましい。
【００４１】
携帯音楽プレーヤで楽曲の再生を開始するとき、現在位置が登録した自宅位置情報と異なる場合は、自動停止機能をオンにし、現在位置が自宅位置情報と一致する場合は、自動停止機能をオフにする。携帯音楽プレーヤを省電力モードにして楽曲の再生を行うが、ＧＰＳ機能を一定時間間隔、例えば１分間隔でオンにすることにより、位置情報を受信する。外出先において携帯音楽プレーヤで楽曲の再生を行って自宅に帰ると、ＧＰＳの位置情報が登録した位置情報と一致していると判定され、自動的に再生を停止することができる。
【００４２】
このように、ＧＰＳの位置情報を識別信号として用いても、自動停止ができる。ユーザは手動で再生停止処理を一切行う必要がなく、停止処理を忘れて再生したままの状況になることを防止することができる。
【００４３】
また、上述の説明では、楽曲の再生に関して記載したが、楽曲の再生に限定されない。例えば、携帯音楽プレーヤで聴取可能なインターネットラジオなどにも適用することができる。
【００４４】
（その他の実施の形態）
上記のように、本発明の実施の形態を記載したが、この開示の一部をなす論述及び図面はこの発明を限定するものであると理解すべきではない。この開示から当業者にはさまざまな代替実施の形態、実施例及び運用技術が明らかとなろう。したがって、本発明の技術的範囲は上記の説明から妥当な特許請求の範囲に係わる発明特定事項によってのみ定められるものである。
【符号の説明】
【００４５】
２…登録部
４…選曲部（選択部）
６…判定部
８…制御部
１０…通信部
１２…処理ユニット
１４…操作部
１６…信号処理部
１８…入出力部
２０…記憶部
【図１】
2014041231.tif 000003
【図２】
2014041231.tif 000004